(57)【特許請求の範囲】
【請求項１】
水中コンクリートを輸送管を介して水底面に打設する方法であって、
前記輸送管の水底側開口部を収容可能な凹部を水底面に形成し、
前記輸送管の水底側開口部を前記凹部に挿入し、
前記輸送管内の水中コンクリートを前記凹部内に充填する、
水中コンクリートの打設方法。
【請求項２】
前記輸送管の水底側開口部の前記凹部への挿入時に、前記輸送管の水平位置と上下位置との両方を確認する、請求項１に記載の水中コンクリートの打設方法。
【請求項３】
前記輸送管は、その管内を移動可能な封止部材を備え、
前記輸送管内の前記封止部材を水中コンクリートにより押圧して前記輸送管の水底側開口部から前記凹部内に押し出して、前記輸送管内の水中コンクリートを前記凹部内に充填する、
請求項１又は請求項２に記載の水中コンクリートの打設方法。
【請求項４】
前記凹部に挿入された前記輸送管の水底側開口部と前記凹部との間の間隔は、前記封止部材が通過可能な間隔である、請求項３に記載の水中コンクリートの打設方法。
【請求項５】
前記輸送管は、その水底側開口部を開閉可能な蓋部材を備え、
前記輸送管の水底側開口部を前記蓋部材により閉口した状態にて、前記輸送管の水底側開口部を前記凹部に挿入し、
前記蓋部材を開けて前記輸送管の水底側開口部を開放して、前記輸送管内の水中コンクリートを前記凹部内に充填する、
請求項１又は請求項２に記載の水中コンクリートの打設方法。
【請求項６】
前記凹部は、クラムシェルバケットにより掘削形成される、請求項１〜請求項５のいずれか１つに記載の水中コンクリートの打設方法。
【発明の詳細な説明】
【技術分野】
【０００１】
本発明は、水中コンクリートの打設方法に関し、詳しくは、水中コンクリートを輸送管を介して水底面に打設する技術に関する。
【背景技術】
【０００２】
水中コンクリート（水中にて打ち込まれるコンクリート）は、一般に、水、セメント、砂、砂利などの材料を含んで構成される。このため、水中コンクリート打設時に水中コンクリートと水との接触期間が長くなると、上述の材料が互いに分離し（換言すれば、水中コンクリートの材料分離が発生し）、この結果、水中コンクリートの品質が低下するという問題がある。
【０００３】
この問題の対策としては、トレミー管などのコンクリート輸送管（以下、単に「輸送管」と称する）を用いて水中コンクリートを水底面に打設する場合には、輸送管の水底側開口部を水底面打設済の水中コンクリートで可及的速やかに覆うことにより、水中コンクリートの水中落下を抑制することが望ましい。
この点、特許文献１には、輸送管の外径より大径の昇降筒を輸送管の水底側開口部外側に設けること、及び、この昇降筒を油圧ジャッキにより上昇・下降させること、が記載されている。
【０００４】
また、特許文献１には、水中コンクリートの水底面への打設方法として、以下の手順により、水中コンクリートを打設することが記載されている。
（１）輸送管と昇降筒との双方の水底側開口端を水底面に接触させる。
（２）水中コンクリートを輸送管内に投入する（輸送管内における水中コンクリートと水との接触は、プランジャーにより制限される）。
（３）昇降筒が水底面に接触した状態で昇降筒内にて輸送管を水底面から離間させるように、クレーンにより輸送管を上昇させると共に、油圧ジャッキにより昇降筒を下降させる。
（４）輸送管内の水中コンクリートが昇降筒内に供給され、昇降筒内に溜まった水中コンクリートが輸送管の水底側開口部を覆う。
（５）油圧ジャッキにより昇降筒を上昇させて昇降筒を水底面から離間させ、昇降筒内の水中コンクリートを水底面における打設範囲に流出させる。
【先行技術文献】
【特許文献】
【０００５】
【特許文献１】特開昭６２−１０３２８号公報
【発明の概要】
【発明が解決しようとする課題】
【０００６】
しかしながら、特許文献１に記載の水中コンクリートの打設方法では、上記（３）にて、クレーンによる輸送管の上昇時に昇降筒が水底面から離間しないように油圧ジャッキを操作して昇降筒を下降させなければならないので、油圧ジャッキの操作が煩雑であり、作業者の負担が増大する。
また、特許文献１に記載の水中コンクリートの打設方法では、流動性が比較的高い水中コンクリート（例えば、水中不分離性コンクリート）を打設する場合に、上記（５）にて、昇降筒を上昇させて昇降筒を水底面から離間させると、昇降筒内の水中コンクリートが想定以上に流出し、この結果、輸送管の水底側開口部を覆っていた水中コンクリートが抜けて、輸送管の水底側開口部が水に接触する可能性がある。
【０００７】
また、特許文献１に記載の水中コンクリート打設装置は、昇降筒が油圧ジャッキを介して輸送管に接続する構成であるので、装置の構成が比較的複雑である。
本発明は、このような実状に鑑み、輸送管の構成を複雑化することなく、水中コンクリートの水底面への打設時に、輸送管の水底側開口部を水底面打設済の水中コンクリートで可及的速やかに覆うことを目的とする。
【課題を解決するための手段】
【０００８】
そのため本発明では、水中コンクリートを輸送管を介して水底面に打設する方法として、輸送管の水底側開口部を収容可能な凹部を水底面に形成し、輸送管の水底側開口部を水底面の凹部に挿入し、輸送管内の水中コンクリートを水底面の凹部内に充填する。
ここで、本発明における「水中コンクリート」とは、水中にて打ち込まれるコンクリートを意味する。
【発明の効果】
【０００９】
本発明によれば、水底面に形成された凹部に輸送管の水底側開口部を挿入して、輸送管内の水中コンクリートを水底面の凹部内に充填する。これにより、凹部内の水中コンクリートが、輸送管の水底側開口部を覆うので、水底面に凹部が形成されていない場合に比べて、速やかに、輸送管の水底側開口部を打設済の水中コンクリートで覆うことができる。
また本発明によれば、水底面の凹部内に充填された水中コンクリートが、輸送管の水底側開口部を覆うので、特許文献１に記載のように輸送管の構成を複雑化することなく、輸送管の水底側開口部を打設済の水中コンクリートで速やかに覆うことができる。
【図面の簡単な説明】
【００１０】
【図１】本発明の一実施形態における立坑底版の構築方法を示す図（その１）
【図２】同上実施形態における立坑底版の構築方法を示す図（その２）
【図３】同上実施形態における水中コンクリートの掘削底面への打設開始方法を示す図
【図４】輸送管内における水中コンクリートと水との接触を制限する手法を示す図
【発明を実施するための形態】
【００１１】
以下に本発明の実施の形態を図面に基づいて説明する。なお、ここでは立坑底版の構築を例にとって水中コンクリートの打設について説明するが、これに限るものではない。
図１及び図２は、本発明の一実施形態における立坑底版の構築方法を示す。また、図３は、水中コンクリートの掘削底面への打設開始方法を示す。
図１（Ａ）に示すように、立坑１は、掘削底面（設計上の床付け面、又は、施工上の床付け面）２と、掘削底面２を囲むように地面３から掘削底面２まで設置された土留め壁４と、により構成される。
【００１２】
また、掘削底面２と土留め壁４とにより画定される空間には、立坑１に作用する地下水圧とバランスするように、地下水位に対応する水位にて水が張られている。ここで、掘削底面２が本発明における水底面に対応する。
掘削底面２に水中コンクリートを打設して立坑底版を構築する際には、まず、図１（Ｂ）に示すように、掘削底面２のうち、水中コンクリート輸送用の輸送管５が設置される位置を部分的に掘り下げて、凹部６を形成する。
【００１３】
凹部６は、図３（ａ）に示すように、クラムシェルバケット７等の掘削装置を用いて掘削形成される。ここで、輸送管５の設置位置は、打設される水中コンクリートの水中流動特性に応じて予め設定される。凹部６は、その水平断面形状が、輸送管５の設置位置を基準として等方性を有する形状（例えば、円形状、又は、矩形状）に形成されることが好ましい。また、凹部６は、その深さｈ１（図３（ｂ）参照）が０．５ｍ〜１ｍであることが好ましい。なお、本実施形態では、凹部６が、直径５０ｃｍの円形水平断面を有し、かつ、深さｈ１が１ｍである円柱状であると仮定して以下説明するが、凹部６の形状・寸法をこれに限定するものではない。
【００１４】
凹部６を掘削形成した後は、図３（ｃ）に示すように、輸送管５の水平位置と上下位置（浸水深さ）との両方を確認しつつ、輸送管５の水底側開口部５ａを凹部６に挿入する。ここで、輸送管５の水平位置の確認については、水平面における平面座標を基準として輸送管５の位置を検尺装置（図示せず）によって測定することにより確認可能である。また、輸送管５の上下位置の確認については、水面から輸送管５の水底側開口端までの距離（換言すれば、輸送管５のうち水中に位置する部分の長さ）を検尺装置（図示せず）によって測定することにより確認可能である。なお、輸送管５は地上のクレーン（図示せず）により吊持される。
【００１５】
そして、輸送管５の水底側開口部５ａが凹部６内に入っていることを、輸送管５の水平位置と上下位置との両方に基づいて確認した後に、輸送管５の設置を完了する。ここで、輸送管５の設置完了時における凹部６の底面と輸送管５の水底側開口端との間隔ｈ２は、３０ｃｍ〜５０ｃｍであることが好ましい。なお、本実施形態では、間隔ｈ２が５０ｃｍであると仮定して以下説明するが、間隔ｈ２の距離をこれに限定するものではない。
【００１６】
輸送管５の設置を完了すると、次に、深皿形状でゴム製のプランジャー（封止部材）８を、輸送管５の水面側開口端（水底側開口端に対して反対側の開口端）から輸送管５内に投入する。プランジャー８は、輸送管５の内径と同等の外径を有し、かつ、輸送管５内を移動することができる。そして、プランジャー８の輸送管５内への投入に続いて、水中コンクリートが輸送管５の水面側開口端から輸送管５内に供給される。ここで、プランジャー８によって、輸送管５内における水中コンクリートと水との接触が制限される。
【００１７】
水中コンクリートを輸送管５内に供給する方法の一例としては、水中コンクリートを、地上のアジテータ車（図示せず）から、コンクリートポンプ車のブーム（図示せず）などを介して、輸送管５に圧送する方法を挙げることができる。この例の場合には、水中コンクリートを圧送するので、４インチ〜６インチ程度（１０ｃｍ〜１５ｃｍ程度）の外径（呼び径）の輸送管５を使用することが可能である。なお、本実施形態では、輸送管５の外径が５インチ（１３ｃｍ）であると仮定して以下説明するが、輸送管５の外径をこれに限定するものではない。
【００１８】
一方、水中コンクリートを輸送管５内に供給する方法の他の例としては、水中コンクリートを上述のように圧送せず、水中コンクリートの自重で仕込む方法を挙げることができる。この例の場合には、コンクリート流量を確保するために、８インチ〜１０インチ程度（２０ｃｍ〜２５ｃｍ程度）の外径の輸送管が使用され得る。
水中コンクリートの輸送管５内への供給が継続されると、図３（ｄ），（ｅ）及び図１（Ｃ）に示すように、水中コンクリートは、輸送管５内にてプランジャー８を押圧して、プランジャー８を、輸送管５の水底側開口部５ａから凹部６内に押し出す。これにより、輸送管５内の水中コンクリートが凹部６内に供給・充填されて、この結果、輸送管５の水底側開口部５ａが凹部６内の水中コンクリートで覆われる。一方、プランジャー８は、輸送管５の水底側開口部５ａと凹部６との間を通過して、掘削底面２の上方の水中に放出される。換言すれば、輸送管５の水底側開口部５ａと凹部６との間の間隔は、プランジャー８が通過可能な間隔になっている。なお、本実施形態では、凹部６が、直径５０ｃｍで深さ１ｍの円柱状であり、輸送管５の外径が５インチ（１３ｃｍ）であり、かつ、凹部６の底面と輸送管５の水底側開口端との間隔ｈ２が５０ｃｍであるので、最大寸法が輸送管５の外径より小さいプランジャー８は、輸送管５と凹部６との間をスムーズに通過することができる。
【００１９】
この後、図２（Ｄ）に示すように、凹部６から溢れた水中コンクリートは、掘削底面２に沿って横流れする。このようにして、掘削底面２における打設領域が徐々に拡大される。また、打設済の水中コンクリートの高さが高くなり、輸送管５内のコンクリート流量が減少する場合には、輸送管５の水底側開口部５ａを打設済の水中コンクリートで覆った状態（例えば、輸送管５の水底側開口部５ａを打設済の水中コンクリートに３０ｃｍ以上埋め込んだ状態）を維持しつつ、輸送管５をクレーンにより吊上げて上昇させる。ここで、地面３から輸送管５の水底側開口端までの距離と、地面３から打設済の水中コンクリートの天端までの距離とは、それぞれ、図示しない検尺装置により測定されている。従って、これらの測定距離の差に基づいて、輸送管５の水底側開口部５ａが打設済の水中コンクリートで覆われているか否かを判定することが可能である。
【００２０】
図２（Ｅ）に示すように、水中コンクリートの掘削底面２への打設が完了して立坑底版（底版コンクリート）１０が構築されると、立坑１内に張られた水を、図示しない排水ポンプを介して、地上に汲み上げて排水する。
この後、立坑底版１０の天端にある低品質なコンクリート部分を除去して、図２（Ｆ）に示すように、立坑底版１０の天端に調整コンクリート（カバーコンクリート）１１を打設して、レベル出しを行う。
【００２１】
以上のようにして、立坑１の立坑底版１０が構築される。
図４は、輸送管５内における水中コンクリートと水との接触を制限する手法を示す。
上述の輸送管５では、封止部材としてプランジャー８を用いて、輸送管５内における水中コンクリートと水との接触を制限したが、プランジャー８の代わりとして、図４（Ａ）に示すように、スポンジボール１５を用いて、輸送管５内における水中コンクリートと水との接触を制限してもよい。この場合においては、輸送管５の水底側開口部５ａと凹部６との間の間隔は、スポンジボール１５の外径より大きく、これにより、スポンジボール１５は輸送管５の水底側開口部５ａと凹部６との間を通過することができる。
【００２２】
また、図４（Ｂ）に示すように、輸送管５の水底側開口部５ａには、ヒンジ機構を介して、蓋部材１６を取り付けることが可能である。換言すれば、輸送管５は、その水底側開口部５ａを開閉可能な蓋部材１６を備えることが可能である。この場合には、上述の図３（ｃ）に示した段階において、輸送管５の水底側開口部５ａを蓋部材１６により閉口した状態で、輸送管５の水底側開口部５ａを凹部６に挿入して、輸送管５を設置する。この後に、水中コンクリートを輸送管５の水面側開口端から輸送管５内に供給し、蓋部材１６を開けて輸送管５の水底側開口部５ａを開放する。このようにして、上述の図３（ｅ）に示した段階と同様に、輸送管５内の水中コンクリートが凹部６内に供給・充填されて、この結果、輸送管５の水底側開口部５ａが凹部６内の水中コンクリートで覆われる。なお、この場合においては、輸送管５の水底側開口部５ａと凹部６との間の間隔は、蓋部材１６が開閉可能な間隔になっている。
【００２３】
次に、水中コンクリートの掘削底面２への打設を開始してから、打設済の水中コンクリートが輸送管５の水底側開口部５ａを覆い始めるまでの時間ｔｃについては、掘削底面２における凹部６の有無により、どの程度の差を生じるのかを、試算する。
この試算では、打設する水中コンクリートとして、流動性が比較的高い水中不分離性コンクリートを用いる。ここで、「水中不分離性コンクリート」とは、水中不分離性混和剤を混和することにより、材料分離抵抗性を高めた水中コンクリートを意味する。
【００２４】
また、輸送管５に供給される水中コンクリートの流量は、０．５ｍ３／分であると仮定する。
更に、輸送管５の水底側開口端と、その直下の掘削底面２（凹部６が形成されている場合は、凹部６の底面）との距離は、５０ｃｍであると仮定する。
掘削底面２に凹部６が形成されている場合には、上述の凹部６の形状・寸法に基づくと、水中コンクリートの打設開始から、打設済の水中コンクリートが輸送管５の水底側開口部５ａを覆い始めるまでの時間ｔｃが、
ｔｃ＝｛π×（０．５［ｍ］／２）２×０．５［ｍ］｝／０．５［ｍ３／分］
≒０．２［分］（つまり１２秒）
になる。
【００２５】
一方、掘削底面２に凹部６が形成されていない場合には、一例として、水中コンクリートの打設開始から、底面直径４ｍ（水中流動距離を２ｍとする（原則５ｍ以内：財団法人日本コンクリート工学協会  コンクリート技術の要点’１０），高さ０．５ｍの円錐状に打設されるまでに要する時間が、上述の時間ｔｃに対応すると仮定すると、
ｔｃ＝｛π×（４［ｍ］／２）２×０．５［ｍ］／３｝／０．５［ｍ３／分］
≒４．２［分］（つまり４分１２秒）
になる。
【００２６】
従って、水中コンクリートの掘削底面２への打設を開始してから、打設済の水中コンクリートが輸送管５の水底側開口部５ａを覆い始めるまでの時間ｔｃについては、掘削底面２における凹部６の有無により、４分（４分１２秒−１２秒）の差を生じる。この時間差は、２ｍ３の水中コンクリートの打設量に相当する。
従って、掘削底面２に凹部６が形成されている場合には、掘削底面２に凹部６が形成されていない場合に比べて、速やかに、輸送管５の水底側開口部５ａを打設済の水中コンクリートで覆うことができる。
【００２７】
本実施形態によれば、水中コンクリートを輸送管５を介して掘削底面２に打設する場合に、輸送管５の水底側開口部５ａを収容可能な凹部６を掘削底面２に形成し、輸送管５の水底側開口部５ａを凹部６に挿入し、輸送管５内の水中コンクリートを凹部６内に充填する。これにより、凹部６内の水中コンクリートが、輸送管５の水底側開口部５ａを覆うので、掘削底面２に凹部６が形成されていない場合に比べて、速やかに、輸送管５の水底側開口部５ａを打設済の水中コンクリートで覆うことができる。
【００２８】
また本発明によれば、凹部６内に充填された水中コンクリートが、輸送管５の水底側開口部５ａを覆うので、特許文献１に記載のように輸送管の構成を複雑化することなく、輸送管５の水底側開口部５ａを打設済の水中コンクリートで速やかに覆うことができる。
また本実施形態によれば、輸送管５の水底側開口部５ａが凹部６に挿入されることにより、仮に掘削底面２の近傍にて若干の水流が発生していても、凹部６が輸送管５の水底側開口部５ａ近傍の水流を抑制するので、安定性を保持しつつ、水中コンクリートの掘削底面２への打設を開始することができる。
【００２９】
また本実施形態によれば、輸送管５の水底側開口部５ａが凹部６に挿入されることにより、流動性の比較的高い水中不分離性コンクリートを掘削底面２に打設する場合であっても、速やかに、輸送管５の水底側開口部５ａを打設済の水中コンクリートで覆うことができる。
ところで、輸送管５の水底側開口部５ａを掘削底面２に打設された水中コンクリートで迅速に覆う手法としては、まず、掘削底面２の一部に型枠を設置し、次に、この型枠内に輸送管５の水底側開口部５ａを挿入して、輸送管５内の水中コンクリートを型枠内に充填する手法が考えられる。
【００３０】
しかしながら、この手法では、型枠内が水中コンクリートで満たされた後に、型枠から溢れ出る水中コンクリートが、型枠外周と掘削底面２との接続箇所近傍まで回り込まず（換言すれば、当該接続箇所近傍がデッドスペースになり、水中コンクリートが入り込まず）、この結果、当該接続箇所近傍における水中コンクリートの品質低下や空洞化が発生する可能性がある。
【００３１】
この点、本実施形態によれば、凹部６から溢れ出る水中コンクリートが、掘削底面２に沿って横流れするので、上記デッドスペースに起因する水中コンクリートの品質低下や空洞化の発生を抑制することができる。
また本実施形態によれば、輸送管５の水底側開口部５ａの凹部６への挿入時に、輸送管５の水平位置と上下位置との両方を確認する。これにより、輸送管５の水底側開口部５ａと凹部６との位置関係を容易に把握することができるので、例えば、濁った水中であっても、輸送管５の水底側開口部５ａを凹部６内に簡易かつ正確に設置することができる。
【００３２】
また本実施形態によれば、輸送管５は、その管内を移動可能な封止部材（プランジャー８，スポンジボール１５）を備え、輸送管５内の封止部材（プランジャー８，スポンジボール１５）を水中コンクリートにより押圧して輸送管５の水底側開口部５ａから凹部６内に押し出して、輸送管５内の水中コンクリートを凹部６内に充填する。これにより、封止部材（プランジャー８，スポンジボール１５）が、輸送管５内での水中コンクリートと水との接触を制限するので、輸送管５内における水中コンクリートの材料分離の発生を抑制することができる。
【００３３】
また本実施形態によれば、凹部６に挿入された輸送管５の水底側開口部５ａと凹部６との間の間隔は、封止部材（プランジャー８，スポンジボール１５）が通過可能な間隔である。これにより、封止部材（プランジャー８，スポンジボール１５）を掘削底面２の上方の水中に確実に放出させることができるので、封止部材（プランジャー８，スポンジボール１５）が立坑底版１０内に残留するリスクを軽減することができる。
【００３４】
また本実施形態によれば、輸送管５は、その水底側開口部５ａを開閉可能な蓋部材１６を備え、輸送管５の水底側開口部５ａを蓋部材１６により閉口した状態にて、輸送管５の水底側開口部５ａを凹部６に挿入し、蓋部材１６を開けて輸送管５の水底側開口部５ａを開放して、輸送管５内の水中コンクリートを凹部６内に充填する。これにより、蓋部材１６が、輸送管５内での水中コンクリートと水との接触を制限するので、輸送管５内における水中コンクリートの材料分離の発生を抑制することができる。
【００３５】
また本実施形態によれば、凹部６は、クラムシェルバケット７等の掘削装置により掘削形成されるので、凹部６の水平断面形状を、矩形状や円形状などの様々な形状にすることができる。
なお、本実施形態では、本発明に係る水中コンクリートの打設方法を、立坑底版１０の構築方法に適用して説明したが、本発明に係る水中コンクリートの打設方法の適用例はこれに限らず、海底面を含むあらゆる水底面に水中コンクリートを打設する際に、本発明に係る打設方法を適用することが可能である。
【符号の説明】
【００３６】
１  立坑
２  掘削底面（水底面）
３  地面
４  土留め壁
５  輸送管
５ａ  水底側開口部
６  凹部
７  クラムシェルバケット
８  プランジャー（封止部材）
１０  立坑底版
１１  調整コンクリート
１５  スポンジボール（封止部材）
１６  蓋部材
【図１】
0005480125.tif 000002
【図２】
0005480125.tif 000003
【図３】
0005480125.tif 000004
【図４】
0005480125.tif 000005